(57)【要約】  ＩＩＩ族窒化物半導体デバイスを形成する方法は、第１のＩＩＩ族窒化物接触層及び第１の金属コンタクトの仕事関数を決定する段階を含む。第１のＩＩＩ族窒化物接触層の決定された仕事関数は、第１のＩＩＩ族窒化物接触層のＩＩＩ族元素に基づく。第１のＩＩＩ族窒化物接触層及び第１の金属コンタクトの決定された仕事関数に基づいて、第１のＩＩＩ族窒化物接触層の仕事関数が調整されるべきであることが決定される。ＩＩＩ族窒化物半導体デバイスは、第２のＩＩＩ族窒化物接触層に隣接する第１のＩＩＩ族窒化物接触層、第１のＩＩＩ族窒化物接触層に配置された第１の金属コンタクト、及び、第２のＩＩＩに配置された第２の金属コンタクトを含んで形成される。形成されたＩＩＩ族窒化物半導体デバイスの第１のＩＩＩ族窒化物接触層は、第１のＩＩＩ族接触層のＩＩＩ族元素に基づく第１の金属層の決定された仕事関数と比較して第１のＩＩＩ族窒化物接触層の仕事関数を調整する量のホウ素を有する窒化ホウ素合金である。
2020537829.tif 000002
【特許請求の範囲】
【請求項１】
ＩＩＩ族窒化物半導体デバイス（３００Ａ、３００Ｂ、３００Ｃ）を形成する方法であって、
前記方法が、
第１のＩＩＩ族窒化物接触層（３１０、３２０）及び第１の金属コンタクト（３２５Ａ、３２５Ｂ）の仕事関数を決定する段階（２０５）であって、前記第１のＩＩＩ族窒化物接触層（３１０、３２０）の決定された仕事関数が、前記第１のＩＩＩ族窒化物接触層（３１０、３２０）のＩＩＩ族元素に基づく、仕事関数を決定する段階（２０５）と、
前記第１のＩＩＩ族窒化物接触層（３１０、３２０）及び前記第１の金属コンタクト（３２５Ａ、３２５Ｂ）の決定された仕事関数に基づいて、前記第１のＩＩＩ族窒化物接触層（３１０、３２０）の仕事関数が調整されるべきであることを決定する段階（２１０）と、
第２のＩＩＩ族窒化物接触層（３１０、３２０）に隣接する前記第１のＩＩＩ族窒化物接触層（３１０、３２０）を含む前記ＩＩＩ族窒化物半導体デバイス（３００Ａ、３００Ｂ、３００Ｃ）を形成する段階（２１５）であって、前記第１の金属コンタクト（３２５Ａ、３２５Ｂ）が、前記第１のＩＩＩ族窒化物接触層（３１０、３２０）に配置され、第２の金属コンタクト（３２５Ａ、３２５Ｂ）が、前記第２のＩＩＩ族窒化物接触層（３１０、３２０）に配置される、前記ＩＩＩ族窒化物半導体デバイス（３００Ａ、３００Ｂ、３００Ｃ）を形成する段階（２１５）と、
を含み、
前記形成されたＩＩＩ族窒化物半導体デバイス（３００Ａ、３００Ｂ、３００Ｃ）の第１のＩＩＩ族窒化物接触層（３１０、３２０）が、前記第１のＩＩＩ族窒化物接触層（３１０、３２０）のＩＩＩ族元素に基づく前記第１の金属層の決定された仕事関数に対して、前記第１のＩＩＩ族窒化物接触層（３１０、３２０）の仕事関数を調整する量のホウ素を有する窒化ホウ素合金である、
ＩＩＩ族窒化物半導体デバイス（３００Ａ、３００Ｂ、３００Ｃ）を形成する方法。
【請求項２】
前記第２のＩＩＩ族窒化物接触層の仕事関数及び前記第２の金属コンタクトの仕事関数を決定する段階と、
前記第２のＩＩＩ族窒化物接触層及び前記第２の金属コンタクトの決定された仕事関数に基づいて、前記第２のＩＩＩ族窒化物接触層の仕事関数が調整されるべきであることを決定する段階と、
をさらに含み、
前記形成されたＩＩＩ族窒化物半導体デバイスの第２のＩＩＩ族窒化物接触層が、前記第２のＩＩＩ族窒化物接触層のＩＩＩ族元素に基づく前記第２の金属層の決定された仕事関数に対して、前記第２のＩＩＩ族窒化物接触層の仕事関数を調整する量のホウ素を有する窒化ホウ素合金である、請求項１に記載の方法。
【請求項３】
前記第２のＩＩＩ族窒化物接触層のＩＩＩ族元素が、ガリウム、インジウム又はアルミニウムのうちの１つ以上である、請求項２に記載の方法。
【請求項４】
前記第１のＩＩＩ族窒化物接触層のＩＩＩ族元素が、ガリウム、インジウム又はアルミニウムのうちの１つ以上である、請求項１に記載の方法。
【請求項５】
前記ＩＩＩ族窒化物半導体デバイスの形成が、前記第１及び第２のＩＩＩ族窒化物接触層の間に半導体層を形成する段階をさらに含む、請求項１に記載の方法。
【請求項６】
前記ＩＩＩ族窒化物半導体デバイスの形成が、前記第１及び第２のＩＩＩ族窒化物接触層の間に２つの半導体層のヘテロ接合を形成する段階をさらに含む、請求項１に記載の方法。
【請求項７】
前記第１の金属コンタクトの決定された仕事関数、及び、前記第１のＩＩＩ族窒化物接触層のＩＩＩ族元素に基づく前記第１のＩＩＩ族窒化物接触層の決定された仕事関数に基づいて、前記第１のＩＩＩ族窒化物接触層と、前記第１の金属コンタクトとの間にショットキー接触が形成され、
前記第１の金属コンタクトの決定された仕事関数、及び、前記窒化ホウ素合金に基づく前記第１のＩＩＩ族窒化物接触層の決定された仕事関数に基づいて、前記形成された第１のＩＩＩ族窒化物接触層と、前記形成された第１の金属コンタクトとの間にオーミック接触が形成される、請求項１に記載の方法。
【請求項８】
前記第２の金属コンタクトの決定された仕事関数、及び、前記第２のＩＩＩ族窒化物接触層のＩＩＩ族元素に基づく前記第２のＩＩＩ族窒化物接触層の決定された仕事関数に基づいて、前記第２のＩＩＩ族窒化物接触層と、前記第２の金属コンタクトとの間にショットキー接触が形成され、
前記第２の金属コンタクトの決定された仕事関数、及び、前記窒化ホウ素合金に基づく前記第２のＩＩＩ族窒化物接触層の決定された仕事関数に基づいて、前記形成された第２のＩＩＩ族窒化物接触層と、前記形成された第２の金属コンタクトとの間にオーミック接触が形成される、請求項２に記載の方法。
【請求項９】
前記半導体デバイスが、ｐ−ｎダイオードであり、前記第１のＩＩＩ族窒化物接触層が、窒化ホウ素アルミニウムを含み、前記第２のＩＩＩ族窒化物接触層が、窒化アルミニウムガリウムを含む、請求項１に記載の方法。
【請求項１０】
前記第１のＩＩＩ族窒化物接触層が、Ｂ０．１４Ａｌ０．８６Ｎを含む、請求項９に記載の方法。
【請求項１１】
第１のＩＩＩ族窒化物接触層（３１０、３２０）と、
前記第１のＩＩＩ族窒化物接触層（３１０、３２０）に配置された第１の金属コンタクト（３２５Ａ、３２５Ｂ）と、
前記第１のＩＩＩ族窒化物接触層（３１０、３２０）に隣接して配置された第２のＩＩＩ族窒化物接触層（３１０、３２０）と、
前記第２のＩＩＩ族窒化物接触層（３１０、３２０）に配置された第２の金属コンタクト（３２５Ａ、３２５Ｂ）と、
を備え、
前記第１のＩＩＩ族窒化物接触層（３１０、３２０）が、ホウ素、窒化物及び追加のＩＩＩ族元素を有する窒化ホウ素合金を含み、
前記第１のＩＩＩ族窒化物接触層（３１０、３２０）が、前記追加のＩＩＩ族元素及び窒化物を含む接触層と比較して、前記第１の窒化ホウ素合金接触層（３１０、３２０）の仕事関数を調整する量のホウ素を備える、
半導体デバイス（３００Ａ、３００Ｂ、３００Ｃ）。
【請求項１２】
前記第２のＩＩＩ族窒化物接触層が、ホウ素、窒化物及びさらなるＩＩＩ族元素を有する窒化ホウ素合金を含み、前記第２のＩＩＩ族窒化物接触層が、前記さらなるＩＩＩ族元素及び窒化物を含む接触層と比較して、前記第２の窒化ホウ素合金接触層の仕事関数を調整する量のホウ素を含む、請求項１１に記載の半導体デバイス。
【請求項１３】
前記第１及び第２のＩＩＩ族窒化物接触層の間に介在層がなく、前記半導体デバイスが、ｐ−ｎダイオードである、請求項１１に記載の半導体デバイス。
【請求項１４】
前記第１及び第２のＩＩＩ族窒化物接触層の間に半導体層をさらに備える、請求項１１に記載の半導体デバイス。
【請求項１５】
前記第１及び第２のＩＩＩ族窒化物接触層の間に２つの半導体層のヘテロ接合をさらに含む、請求項１１に記載の半導体デバイス。
【請求項１６】
第１のＩＩＩ族窒化物接触層（３１０、３２０）を形成する段階（５０５）と、
前記第１のＩＩＩ族窒化物接触層（３１０、３２０）に隣接する第２のＩＩＩ族窒化物接触層（３１０、３２０）を形成する段階（５１０）と、
前記第１のＩＩＩ族窒化物接触層（３１０、３２０）に第１の金属コンタクト（３２５Ａ、３２５Ｂ）を形成する段階（５１５）と、
前記第２のＩＩＩ族窒化物接触層（３１０、３２０）に第２の金属コンタクト（３２５Ａ、３２５Ｂ）を形成する段階（５２０）と、
を含み、
前記第１及び第２のＩＩＩ族窒化物接触層（３１０、３２０）が、異なる窒化ホウ素合金である、
ＩＩＩ族窒化物半導体デバイス（３００Ａ、３００Ｂ、３００Ｃ）を形成する方法。
【請求項１７】
前記第１のＩＩＩ族窒化物接触層が、第１のＩＩＩ族元素を含み、ある量のホウ素で形成され、それにより、前記第１のＩＩＩ族窒化物接触層が、前記第１のＩＩＩ族元素及び窒化物を含む第１の層と比較して調整された仕事関数を有する、請求項１６に記載の方法。
【請求項１８】
前記第２のＩＩＩ族窒化物接触層が、第２のＩＩＩ族元素を含み、ある量のホウ素で形成され、それにより、前記第２のＩＩＩ族窒化物接触層が、前記第２のＩＩＩ族及び窒化物を含む層と比較して調整された仕事関数を有する、請求項１７に記載の方法。
【請求項１９】
前記第１のＩＩＩ族窒化物接触層が、窒化ホウ素アルミニウムを含み、前記第２のＩＩＩ族窒化物接触層が、窒化ホウ素ガリウムを含む、請求項１６に記載の方法。
【請求項２０】
前記第１及び第２のＩＩＩ族窒化物接触層の間に半導体層を形成する段階をさらに含む、請求項１６に記載の方法。
【発明の詳細な説明】
【技術分野】
【０００１】
本願は、２０１７年１０月１６日に出願された「ＢＯＲＯＮ  ＣＯＮＴＡＩＮＩＮＧ  ＩＩＩ−ＮＩＴＲＩＤＥ  ＭＥＴＡＬ  ＣＯＮＴＡＣＴ  ＬＡＹＥＲＳ」という名称の米国仮特許出願第６２／５７２，６７２号の優先権を主張し、その開示は、参照によりその全体が本明細書に組み入れられる。
【０００２】
開示される主題の実施形態は、概して、ホウ素を含まない接触層の仕事関数に対して接触層の仕事関数を調整するための窒化ホウ素合金を有する少なくとも１つの接触層を有するＩＩＩ族窒化物半導体デバイスに関する。
【背景技術】
【０００３】
ＩＩＩ窒化物半導体（窒化アルミニウム（ＡｌＮ）、窒化ガリウム（ＧａＮ）、窒化インジウム（ＩｎＮ）、窒化ホウ素（ＢＮ）及びそれらの合金）は、発光ダイオード（ＬＥＤ）、レーザーダイオード、光検出器などの光電子デバイスの製造、及び、高電子移動度トランジスタ（ＨＥＭＴ）などの高出力電子機器用の重要な材料として登場した。接触抵抗が大きいと接触界面にわたって電圧降下が大きくなり、電力効率が低下し、熱問題によりデバイスの信頼性が低下するため、ＩＩＩ族窒化物デバイスの電気的及び光学的性能をさらに向上させるには、低抵抗オーミック接触の形成が不可欠である。
【０００４】
ドープされた半導体層上の金属コンタクトが異なる接触障壁を持つショットキー接触を形成するか、オーミック接触を形成するかは、金属コンタクト及びドープされた半導体層の仕事関数（Φ）に大きく依存する。仕事関数は、真空準位に対するフェルミレベル（Ｅｆ）間の距離を表し、これは、伝導帯端と価電子帯端の位置、及びドーピングの影響を受ける。
【０００５】
図１Ａに示すように、金属コンタクトの仕事関数がｎ型半導体接触層の仕事関数よりも大きい場合、ショットキー接触が形成され、金属コンタクトからｎ型半導体への電子の流れが妨げられる。伝導帯端又はフェルミレベルが低いためにｎ型半導体接触層の仕事関数が増加すると、ショットキー障壁又はコンタクト障壁が減少し、金属コンタクトの電子のｎ型半導体接触層への流れが増加する。図１Ｂに示すように、ｎ型半導体接触層の仕事関数が金属コンタクトの仕事関数以上である場合、オーミック接触が形成され、金属コンタクトからｎ型半導体接触層への電子の流れが可能になる。
【０００６】
ｐ型半導体接触層は、ｎ型半導体接触層とは逆の振る舞いをする。具体的には、図１Ｃに示すように、金属コンタクトの仕事関数がｐ型半導体接触層の仕事関数よりも小さい場合、ショットキー接触が形成され、金属コンタクトからｐ型半導体接触層への正孔の流れを妨げる。価電子帯端又はフェルミ準位が高いためにｐ型半導体接触層の仕事関数が減少すると、ショットキー障壁又はコンタクト障壁が減少し、金属コンタクトからｎ型半導体接触層への正孔の流れが増加する。さらに、図１Ｄに示すように、金属コンタクトの仕事関数がｐ型半導体接触層の仕事関数以上の場合、オーミック接触が形成され、金属コンタクトからのｐ型半導体接触層への流れが可能になる。
【０００７】
従って、接触層上に配置された金属コンタクトとの接触障壁が低減されたｎ型及びｐ型半導体接触層を提供することが望ましいであろう。
【発明の概要】
【課題を解決するための手段】
【０００８】
一実施形態によれば、ＩＩＩ族窒化物半導体デバイスを形成する方法がある。この方法は、第１のＩＩＩ族窒化物接触層及び第１の金属コンタクトの仕事関数を決定する段階であって、前記第１のＩＩＩ族窒化物接触層の決定された仕事関数が、前記第１のＩＩＩ族窒化物接触層のＩＩＩ族元素に基づく、仕事関数を決定する段階と、前記第１のＩＩＩ族窒化物接触層及び前記第１の金属コンタクトの決定された仕事関数に基づいて、前記第１のＩＩＩ族窒化物接触層の仕事関数が調整されるべきであることを決定する段階と、第２のＩＩＩ族窒化物接触層に隣接する前記第１のＩＩＩ族窒化物接触層を含む前記ＩＩＩ族窒化物半導体デバイスを形成する段階であって、前記第１の金属コンタクトが、前記第１のＩＩＩ族窒化物接触層に配置され、前記第２の金属コンタクトが、前記第２のＩＩＩ族窒化物接触層に配置される、前記ＩＩＩ族窒化物半導体デバイスを形成する段階と、を含み、前記形成されたＩＩＩ族窒化物半導体デバイスの第１のＩＩＩ族窒化物接触層は、前記第１のＩＩＩ族窒化物接触層のＩＩＩ族元素に基づく前記第１の金属層の決定された仕事関数に対して、前記第１のＩＩＩ族窒化物接触層の仕事関数を調整する量のホウ素を有する窒化ホウ素合金である。
【０００９】
別の実施形態によれば、第１のＩＩＩ族窒化物接触層と、前記第１のＩＩＩ族窒化物接触層に配置された第１の金属コンタクトと、前記第１のＩＩＩ族窒化物接触層に隣接して配置された第２のＩＩＩ族窒化物接触層と、前記第２のＩＩＩ族窒化物接触層に配置された第２の金属コンタクトと、を備え、前記第１のＩＩＩ族窒化物接触層は、追加のＩＩＩ族元素を有する窒化ホウ素合金を含み、前記第１のＩＩＩ族窒化物接触層は、前記追加のＩＩＩ族元素及び窒化物を含む接触層と比較して前記第１の窒化ホウ素合金接触層の仕事関数を調整する量のホウ素を含む、半導体デバイスがある。
【００１０】
さらなる実施形態によれば、ＩＩＩ族窒化物半導体デバイスを形成する方法がある。この方法は、第１のＩＩＩ族窒化物接触層を形成する段階と、前記第１のＩＩＩ族窒化物接触層に隣接する第２のＩＩＩ族窒化物接触層を形成する段階と、前記第１のＩＩＩ族窒化物接触層に第１の金属コンタクトを形成する段階と、前記第２のＩＩＩ族窒化物接触層に第２の金属コンタクトを形成する段階と、を含み、前記第１及び第２のＩＩＩ族窒化物接触層が、異なる窒化ホウ素合金である。
【００１１】
本明細書に組み込まれ、その一部を構成する添付の図面は、１つ以上の実施形態を示し、詳細な説明とともにこれらの実施形態を説明する。
【図面の簡単な説明】
【００１２】
【図１Ａ】金属からｎ型半導体接合へのショットキー接触の図である。
【図１Ｂ】金属からｎ型半導体接合へのオーミック接触の図である。
【図１Ｃ】金属からｐ型半導体接合へのショットキー接触の図である。
【図１Ｄ】金属からｐ型半導体接合へのオーム接触の図である。
【図２】実施形態に係るＩＩＩ族窒化物半導体デバイスを形成する方法のフローチャートである。
【図３Ａ】実施形態によるＩＩＩ族窒化物半導体デバイスのブロック図である。
【図３Ｂ】実施形態によるＩＩＩ族窒化物半導体デバイスのブロック図である。
【図３Ｃ】実施形態によるＩＩＩ族窒化物半導体デバイスのブロック図である。
【図４】実施形態によるＩＩＩ族窒化物材料間の価電子及び伝導帯オフセットのグラフである。
【図５】実施形態によるＩＩＩ族窒化物半導体デバイスを形成する方法のフローチャートである。
【発明を実施するための形態】
【００１３】
例示的な実施形態の以下の説明は、添付の図面を参照する。種々の図面の同じ参照番号は、同一又は類似の要素を識別する。以下の詳細な説明は、本発明を限定しない。代わりに、本発明の範囲は、添付の特許請求の範囲によって定義される。以下の実施形態は、簡単にするために、ＩＩＩ族窒化物半導体デバイスの用語及び構造に関して説明される。
【００１４】
本明細書を通して「一実施形態」又は「実施形態」への言及は、実施形態に関連して説明される特定の特徴、構造又は特性が、開示される主題の少なくとも１つの実施形態に含まれることを意味する。従って、本明細書全体にわたる様々な場所での「一実施形態では」又は「実施形態では」という句の出現は、必ずしも同じ実施形態を指しているわけではない。さらに、特定の特徴、構造又は特性は、１つ以上の実施形態において任意の適切な方法で組み合わせることができる。
【００１５】
図２は、実施形態によるＩＩＩ族窒化物半導体デバイスを形成する方法のフローチャートである。最初に、第１のＩＩＩ族窒化物接触層及び第１の金属コンタクトの仕事関数が決定される（ステップ２０５）。第１のＩＩＩ族窒化物接触層の決定された仕事関数は、第１のＩＩＩ族窒化物接触層のＩＩＩ族元素に基づく。次に、第１のＩＩＩ族窒化物接触層及び第１の金属コンタクトの決定された仕事関数に基づいて、第１のＩＩＩ族窒化物接触層の仕事関数を調整すべきであることが決定される（ステップ２１０）。ＩＩＩ族窒化物半導体デバイスは、第２のＩＩＩ族窒化物接触層に隣接する第１のＩＩＩ族窒化物接触層、第１のＩＩＩ族窒化物接触層に配置された第１の金属コンタクト、及び、第２のＩＩＩ族窒化物接触層に配置された第２の金属コンタクトを備えて形成される（ステップ２１５）。形成されたＩＩＩ族窒化物半導体デバイスの第１のＩＩＩ族窒化物接触層は、第１のＩＩＩ族窒化物接触層のＩＩＩ族元素に基づいて第１の金属層の決定された仕事関数に対して第１のＩＩＩ族窒化物接触層の仕事関数を調整する量のホウ素を有する窒化ホウ素合金である。第１のＩＩＩ族窒化物接触層のＩＩＩ族元素は、ガリウム、インジウム又はアルミニウムのうちの１つ以上であり得る。
【００１６】
第１のＩＩＩ族窒化物接触層の仕事関数を調整するために使用されるホウ素の量は、様々なホウ素組成で異なる層を最初に成長させることによって決定することができる。次に、伝導帯の最小値、価電子帯の最大値、及びこれらの層の仕事関数の実験的測定を実行することができる。次に、この仕事関数を、金属コンタクトに使用されている金属の仕事関数と比較することができる。接触層がｐ型かｎ型かによって、異なる仕事関数に対応する異なるホウ素組成が決定される。これは一度だけ実行でき、実験測定からの情報を使用して、同じデバイス又は異なるデバイスの異なる接触層の仕事関数を調整することができる。あるいは、接触層のホウ素組成は、理論計算によって決定することができる。
【００１７】
窒化ホウ素合金コンタクト層が、少なくとも０．１％のホウ素を含み、これが、ホウ素が意図的に含まれていることを示しており、デバイスの形成中に発生する不純物又は汚染物質として、ホウ素が接触層の一部であることを示していないことを理解されたい。さらに、ＩＩＩ族元素（又は、複数のＩＩＩ族元素）には、少なくとも０．１％のＩＩＩ族元素（又は、複数のＩＩＩ族元素の各々）が含まれ、これは、ＩＩＩ族元素（又は、複数のＩＩＩ族元素）が意図的に含まれていることを示しており、ＩＩＩ族元素（又は、複数のＩＩＩ族元素）が、デバイスの形成中に発生する不純物又は汚染物質として、接触層の一部であることを示していない。
【００１８】
以下で論じるように、第１及び第２のＩＩＩ族窒化物接触層の間に配置された１つ以上の半導体層があってもよい。従って、隣接して形成される語句は、第１及び第２のＩＩＩ族窒化物接触層の間の直接的な物理的接続、並びに、第１及び第２のＩＩＩ族窒化物接触層の間に挿入される１つ以上の半導体層の両方を覆うものとして理解されるべきである。従って、図２の方法は、また、第１及び第２のＩＩＩ窒化物接触層の間に半導体層を形成する段階、第１及び第２のＩＩＩ窒化物接触層の間に２つの半導体層のヘテロ接合を形成する段階、第１及び第２のＩＩＩ族窒化物接触層の間に２つの半導体層のホモ接合を形成する段階、又は、第１及び第２のＩＩＩ族窒化物接触層の間に３つ以上の半導体層を形成する段階を含むことができる。
【００１９】
別のＩＩＩ族元素を有するＩＩＩ族窒化物合金層にホウ素を含めることにより、別のＩＩＩ族元素及び窒化物を含む層、すなわちホウ素を含まない層と比較して、仕事関数が調整される。従って、例えば、別のＩＩＩ族元素とその上に金属コンタクトを有する窒化物とを含む層は、ショットキー接触を形成し得る一方で、この層が窒化ホウ素合金接触層になるように、この層に対するホウ素を添加が、金属コンタクトとオーミック接触を形成することができる。ホウ素の追加により、接触層と金属コンタクトとの間の接触をショットキー接触からオーミック接触に変える必要がないことを認識すべきであり、追加のホウ素は、窒化ホウ素合金層と金属コンタクトとの間の接触障壁を減らすことができる一方で、ショットキー接触を形成する。減少した接触障壁は、半導体デバイスの全体的な性能を向上させる。具体的には、ホウ素を含まないＩＩＩ窒化物接触層の仕事関数に対する金属コンタクトの仕事関数は、通常、大きな接触抵抗をもたらし、金属コンタクトとＩＩＩ族窒化物接触層との間の界面にわたる大きな電圧降下をもたらし、これにより、電力効率が低く、信頼性が低下した半導体デバイスをもたらす（大きな接触抵抗から発生する追加の熱により）。従って、接触層と金属コンタクトとの間にショットキー接点が形成されている場合でも、金属コンタクトとＩＩＩ族窒化物接触層との間の界面にわたる電圧降下が、ホウ素の追加により減少するので、デバイス全体の性能は、接触層にホウ素を添加することによって改善することができる。
【００２０】
従って、第１及び／又は第２のドープされたＩＩＩ族窒化物接触層がｎ型ドープされた接触層であるとき、第１及び／又は第２のＩＩＩ族窒化物接触層中のホウ素の量は、第１及び第２のＩＩＩ族窒化物接触層がそれぞれ、ホウ素を有しない接触層より大きな仕事関数を有するように選択される。同様に、第１及び／又は第２のＩＩＩ族窒化物接触層がｐ型ドープ接触層であるとき、第１及び／又は第２のＩＩＩ族窒化物合金接触層中のホウ素の量は、第１及び／又は第２のＩＩＩ族窒化物接触層がそれぞれ、ホウ素を有しない接触層よりも小さな仕事関数を有するように選択される。
【００２１】
図２の方法は、この層の仕事関数を調整する量のホウ素を有する第１のＩＩＩ族窒化物接触層として説明されているが、この方法はまた、この層の仕事関数を調整する量のホウ素を有する第２のＩＩＩ族窒化物接触層を含み得る。この場合、図２の方法は、第２のＩＩＩ族窒化物接触層の仕事関数及び第２の金属コンタクトの仕事関数を決定する段階と、第２のＩＩＩ族窒化物接触層及び第２の金属コンタクトの決定された仕事関数に基づいて、第２のＩＩＩ族窒化物接点層の仕事関数を調整すべきであることを決定する段階と、を含む。形成されたＩＩＩ族窒化物半導体デバイスの第２のＩＩＩ族窒化物接触層は、ＩＩＩ族窒化物接触層のＩＩＩ族元素に基づく第２の金属層の決定された仕事関数に対して第２のＩＩＩ族窒化物接触層の仕事関数を調整する量のホウ素を有する窒化ホウ素合金である。
【００２２】
第１及び第２のＩＩＩ族窒化物接触層の組成は、形成される特定の半導体デバイスに応じて変化する。例えば、第１及び／又は第２のＩＩＩ族窒化物接触層は、以下を含む任意のタイプの窒化ホウ素合金を含むことができる：窒化ホウ素アルミニウム、窒化ホウ素ガリウム、窒化ホウ素インジウム、窒化ホウ素アルミニウムガリウム、窒化ホウ素インジウムガリウム、窒化ホウ素アルミニウムインジウム、及び、窒化ホウ素アルミニウムガリウムインジウム。特定の一例では、第１及び／又は第２のＩＩＩ族窒化物接触層は、Ｂ０．１４Ａｌ０．８６Ｎを含むことができる。
【００２３】
図３Ａから図３Ｃは、実施形態によるラテラルメサ型設計を有するＩＩＩ族窒化物半導体デバイスのブロック図である。図３Ａに示す半導体デバイス３００Ａは、基板３０５に配置された第１のＩＩＩ族窒化物接触層３１０と、第１のＩＩＩ族窒化物接触層３１０に配置された第２のＩＩＩ族窒化物接触層３２０とを含む。第１の金属コンタクト３２５Ａは、第１のＩＩＩ族窒化物接触層３１０に配置され、第２の金属コンタクトは、第２のＩＩＩ族窒化物接触層３２０に配置される。第１のＩＩＩ族窒化物接触層３０５及び第２のＩＩＩ族窒化物接触層３１０のうちの１つは、窒化ホウ素合金を含み、追加のＩＩＩ族元素を含む。第１及び第２のＩＩＩ族窒化物接触層の一方は、追加のＩＩＩ族元素及び窒化物を含む接触層と比較して、第１の窒化ホウ素合金接触層の仕事関数を調整する量のホウ素を含む。半導体デバイス３００Ａは、第１及び第２のＩＩＩ族窒化物接触層の一方がｐ型ドープされ、他方がｎ型ドープされたｐ−ｎ型ダイオードである。従って、第１及び第２のＩＩＩ族窒化物接触層は、少なくとも１つの異なるＩＩＩ族元素を含むことができる。
【００２４】
図３Ｂ及び３Ｃは、第１及び第２のＩＩＩ族窒化物接触層３１０及び３２０の間に挿入された１つ以上の半導体層を有する半導体デバイス３００Ｂ及び３００Ｃを示す。具体的には、図３Ｂでは、半導体層３１５は、第１のＩＩＩ族窒化物接触層３１０と第２のＩＩＩ族窒化物接触層３２０との間に挿入される。従って、この例では、半導体層３１５は、第１のＩＩＩ族窒化物接触層３１０に配置され、第２のＩＩＩ族窒化物接触層は、半導体層３１５に配置される。図３Ｃでは、第１の半導体層３１５Ａ及び第２の半導体層３１５Ｂのヘテロ接合は、第１の接触層３１０と第２の接触層３２０との間に挿入することができる。従って、この例では、第１の半導体層３１５Ａは、第１のＩＩＩ族窒化物接触層３１０に配置され、第２のＩＩＩ族窒化物接触層３２０は、第２の半導体層３２０に配置される。半導体層３１５（又は、層３１５Ａ及び３１５Ｂ）並びに第１の接触層３１０及び第２の接触層３１５の組成に応じて、半導体デバイス３００Ｂ及び３００Ｃは、光電子デバイス（例えば、発光ダイオード、レーザー、光検出器など）、又は、高電子移動度トランジスタ（ＨＥＭＴ）であり得る。当業者は、半導体層３１５（又は、層３１５Ａ及び３１５Ｂ）並びに第１の接触層３１０及び第２の接触層３１５の組成を選択することによって、光電子デバイス又は高電子移動度トランジスタを形成する方法を理解するであろう。
【００２５】
図３Ａから図３Ｃは、第１及び第２のＩＩＩ族窒化物接触層並びに第１及び第２の金属コンタクトを含むものとして説明されている。第１及び第２のＩＩＩ窒化物接触層並びに第１及び第２の金属コンタクトは、図２に示される方法に関連して上で説明した第１及び第２のＩＩＩ窒化物接触層並びに第１及び第２の金属コンタクトに直接的に対応する必要はない。従って、例えば、図２に示される方法の第１のＩＩＩ族窒化物接触層及び第１の金属コンタクトは、図３Ａから図３Ｃにおける第２のＩＩＩ族窒化物接触層及び第２の金属コンタクトに対応することができ、図２に示される方法の第２のＩＩＩ族窒化物接触層及び第２の金属コンタクトは、図３Ａから図３Ｃにおける第１のＩＩＩ族窒化物接触層及び第１の金属コンタクトに対応することができる。図３Ａから図３Ｃは、基板３０５を有する半導体デバイスで示されているが、基板を省略して、第１のＩＩＩ族窒化物接触層３１０が半導体デバイスの基板として機能するようにすることができる。
【００２６】
図３Ａから図３Ｃが、一般的なＩＩＩ族窒化物半導体デバイスを示し、半導体デバイスが、発光ダイオード、レーザー、光検出器及び高電子移動度トランジスタなどのデバイスのタイプに応じて追加の層を含み得ることを認識されたい。例えば、半導体デバイスは、接触抵抗を低減するために、第２のＩＩＩ族窒化物接触層３２０に配置されたキャップ層を含むことができる。ＩＩＩ族窒化物半導体３００Ａ、３００Ｂ、３００Ｃが発光ダイオードであるとき、電子ブロッキング層は、ＩＩＩ族窒化物半導体層３１５（又は、３１５Ａ及び３１５Ｂ）の頂部に配置することができ、第２のＩＩＩ族窒化物接触層３２０は、電子ブロッキング層に配置することができる。
【００２７】
基板３０５と接触層３１０との間に任意に、例えば、クラッド層及び超格子層などの１つ以上の層が配置され得ることに留意されたい。従って、「上に配置された」という語句は、層間の直接的な物理的接触として理解されるべきであり、「隣接して配置された」という語句は、層間の直接的な物理的接触として理解されるべきであり、又は、２つの層の間に介在する１つ以上の層があり得ると理解されるべきである。
【００２８】
図３Ａから図３Ｃは、ラテラルメサ型設計を有する半導体を示しているが、これらの半導体デバイスは、デバイスの２つの対向する垂直側面に形成されたコンタクトを有する垂直デバイスとして実装することもできる。
【００２９】
ＩＩＩ窒化物接触層の仕事関数の調整は、図４に示す価電子帯及び伝導帯のオフセットを比較することで理解することができる。図示のように、窒化アルミニウム接触層にホウ素を追加して窒化ホウ素アルミニウム接触層を形成すると、価電子帯の最大値が窒化アルミニウム接触層に比べて真空準位に近くなる。これは、仕事関数を減らすことができるため、ｐ型ＩＩＩ窒化物接触層に特に有用である。
【００３０】
図５は、実施形態によるＩＩＩ族窒化物半導体デバイスを形成する方法のフローチャートである。最初に、第１のＩＩＩ族窒化物接触層が形成される（ステップ５０５）。次に、第２のＩＩＩ族窒化物接触層が第１のＩＩＩ族窒化物接触層に隣接して形成される（ステップ５１０）。第１のＩＩＩ族窒化物接触層に第１の金属コンタクトが形成され（ステップ５１５）、第２のＩＩＩ族窒化物接触層に第２の金属接触が形成される（ステップ５２０）。第１及び第２のＩＩＩ族窒化物接触層は、異なる窒化ホウ素合金である。
【００３１】
例示的な実施形態がＩＩＩ族窒化物半導体デバイスに関連して説明されたが、開示された窒化ホウ素合金接触層を他のタイプの半導体デバイスで使用して、金属コンタクトの仕事関数に対して接触層の仕事関数を調整することができる。さらに、実施形態が、発光ダイオード又は高電子移動度トランジスタであるＩＩＩ族窒化物半導体デバイスに関連して説明されたが、ＩＩＩ族窒化物半導体デバイスは、代替として、レーザーダイオード又は光検出器を含む別のタイプの光電子デバイスであり得る。
【００３２】
開示された実施形態は、半導体及び製造方法を提供する。この説明が、本発明を限定することを意図していないことを理解されたい。それどころか、例示的な実施形態は、添付の特許請求の範囲によって定義される本発明の精神及び範囲に含まれる代替物、修正物及び等価物をカバーすることを意図している。さらに、例示的な実施形態の詳細な説明では、特許請求の範囲に記載される発明の包括的な理解を与えるために、多数の特定の詳細が述べられている。しかしながら、当業者は、そのような特定の詳細なしに様々な実施形態が実施され得ることを理解するであろう。
【００３３】
例示的な本実施形態の特徴及び要素が、特定の組合せで実施形態に記載されているが、各特徴又は要素は、実施形態の他の特徴及び要素なしで単独で、又は、本明細書で開示される他の特徴及び要素の有無にかかわらず、様々に組み合わせて使用することができる。
【００３４】
ここで記載された詳細な説明は、開示された主題の例を使用して、任意のデバイス又はシステムの作成及び使用、並びに、組み込まれた方法の実行を含む例を当業者が実施できるようにする。主題の特許性のある範囲は、特許請求の範囲によって定義され、当業者が思いつく他の例を含むことができる。そのような他の例は、特許請求の範囲内にあることが意図されている。
【符号の説明】
【００３５】
３００Ａ  ＩＩＩ族窒化物半導体デバイス
３００Ｂ  ＩＩＩ族窒化物半導体デバイス
３００Ｃ  ＩＩＩ族窒化物半導体デバイス
３０５  基板
３１０  ＩＩＩ族窒化物接触層
３１５  半導体層
３１５Ａ  半導体層
３１５Ｂ  半導体層
３２０  ＩＩＩ族窒化物接触層
３２５Ａ  金属コンタクト
３２５Ｂ  金属コンタクト
【図１Ａ】
2020537829.tif 000003
【図１Ｂ】
2020537829.tif 000004
【図１Ｃ】
2020537829.tif 000005
【図１Ｄ】
2020537829.tif 000006
【図２】
2020537829.tif 000007
【図３Ａ】
2020537829.tif 000008
【図３Ｂ】
2020537829.tif 000009
【図３Ｃ】
2020537829.tif 000010
【図４】
2020537829.tif 000011
【図５】
2020537829.tif 000012
【国際調査報告】
2020537829.tif 000013
2020537829.tif 000014